(57)【要約】【課題】装置を小型化しコストダウンを図ったインバータの制御電源回路を提供する。【解決手段】一次側に巻線１１およびトランジスタ２の直列回路を有したトランス１０の２次側に、該トランス１０の２次側巻線４３の一端と中間点との間に得られる電圧を整流してアナログ回路用の＋１２Ｖ電源を出力する第１の整流回路５２と、前記２次側巻線４３の他端と中間点との間に得られる電圧を整流してアナログ回路用の−１２Ｖ電源を出力する第２の整流回路５３とを備え、前記第１および第２の整流回路５２，５３の合成電圧をリレーシーケンス回路用の２４Ｖ電源として出力する。【選択図】図１
2008005613.tif 000002
【特許請求の範囲】
【請求項１】
インバータの制御電源回路において、
所定の電源電圧を得るトランスの２次側に、
前記トランスの２次側巻線の一端と中間点との間に得られる電圧を整流してアナログ回路用の＋１２Ｖ電源を出力する第１の整流回路と、
前記トランスの２次側巻線の他端と中間点との間に得られる電圧を整流してアナログ回路用の−１２Ｖ電源を出力する第２の整流回路とを備え、
前記第１および第２の整流回路の合成電圧をリレーシーケンス回路用の２４Ｖ電源として出力することを特徴とするインバータの制御電源回路。
【発明の詳細な説明】
【技術分野】
【０００１】
本発明は、汎用インバータに用いられる制御電源回路に関する。
【背景技術】
【０００２】
従来、汎用インバータに用いられる制御電源回路は、例えば図２のように構成されていた。図２において、トランス１（パルストランス）の１次側回路は、所定電圧が印加される１次側の巻線１１およびスイッチング制御がなされるトランジスタ２の直列回路を有している。
【０００３】
トランス１の２次側回路は、各々絶縁して設けられた巻線１２，１３、１４、１５ａ〜１５ｎと、それら各巻線１２，１３，１４，１５ａ〜１５ｎに接続された整流回路２１，２２，２３，２４，２５ａ〜２５ｎとで構成されている。
【０００４】
すなわち、巻線１２の両端間には図示極性の整流ダイオード３ａおよび平滑用コンデンサ４ａの直列回路が接続され、該コンデンサ４ａの端子電圧をデジタル回路用電源として用いている。
【０００５】
また、巻線１３の一端と中間点との間には図示極性の整流ダイオード３ｂおよび平滑用コンデンサ４ｂの直列回路が接続され、該コンデンサ４ｂの端子電圧をアナログ回路用＋１５Ｖ電源として用いている。
【０００６】
また、巻線１３の他端と中間点との間には図示極性の整流ダイオード３ｃおよび平滑用コンデンサ４ｃの直列回路が接続され、該コンデンサ４ｃの端子電圧をアナログ回路用−１５Ｖ電源として用いている。
【０００７】
また、巻線１４の両端間には図示極性の整流ダイオード３ｄおよび平滑用コンデンサ４ｄの直列回路が接続され、該コンデンサ４ｄの端子電圧をリレーシーケンス回路用２４Ｖ電源として用いている。
【０００８】
また、巻線１５ａ〜１５ｎの各両端間には図示極性の整流ダイオード３３ａ〜３３ｎおよび平滑用コンデンサ３４ａ〜３４ｎの直列回路が各々接続され、該コンデンサ３４ａ〜３４ｎの端子電圧をゲートドライブ回路用電源等として用いている。
【０００９】
尚、インバータ等に用いられる制御電源回路は従来例えば下記特許文献１に記載のものが提案されていた。
【特許文献１】特開２００５−２６１１４９号公報
【発明の開示】
【発明が解決しようとする課題】
【００１０】
従来のインバータに用いられる制御電源回路は、前記図２に示すように、デジタル回路用、アナログ回路用（±１５Ｖ）、リレーシーケンス回路用（２４Ｖ）、ゲートドライブ回路用の各電源を得るために、互いに絶縁されたトランス巻線１２，１３，１４，１５ａ〜１５ｎおよび整流回路２１，２２，２３，２４，２５ａ〜２５ｎを設けて構成される。
【００１１】
このため部品点数が非常に多く装置を小型化、コストダウンすることができなかった。
【００１２】
本発明は上記課題を解決するものであり、装置を小型化しコストダウンを図ったインバータ（電圧型等）の制御電源回路を提供することを目的としている。
【課題を解決するための手段】
【００１３】
上記課題を解決するために、本発明は、インバータの制御電源回路において、所定の電源電圧を得るトランスの２次側に、前記トランスの２次側巻線の一端と中間点との間に得られる電圧を整流してアナログ回路用の＋１２Ｖ電源を出力する第１の整流回路と、前記トランスの２次側巻線の他端と中間点との間に得られる電圧を整流してアナログ回路用の−１２Ｖ電源を出力する第２の整流回路とを備え、前記第１および第２の整流回路の合成電圧をリレーシーケンス回路用の２４Ｖ電源として出力することを特徴としている。
【００１４】
上記構成において、アナログ回路用の±１２Ｖ電源、とリレーシーケンス回路用の２４Ｖ電源は共通の２次側巻線を利用するので、部品点数が少なくて済み、回路の小型化およびコストダウンを図ることができる。
【発明の効果】
【００１５】
従来、アナログ回路用の電源回路、例えば±１５Ｖ電源、とリレーシーケンス回路用の２４Ｖ電源とは各々絶縁された別個のトランス巻線および整流回路を用いていたが、本発明によれば１個の２次側巻線とその巻線に接続された第１、第２の整流回路だけで、アナログ回路用の電源回路およびリレーシーケンス回路用の電源回路を構成することができる。
【００１６】
このため部品点数が削減され、回路を小型化できるとともにコストダウンを図ることができる。
【発明を実施するための最良の形態】
【００１７】
以下、図面を参照しながら本発明の実施の形態を説明するが、本発明は下記の実施形態例に限定されるものではない。本来、インバータ装置の制御電源回路におけるアナログ回路用電源は、図２のように±１５Ｖである必要はない。またアナログ回路用電源とリレーシーケンス回路用電源を絶縁する必要もない。
【００１８】
これらの点に着目し、本実施形態例では、図１に示すようにアナログ回路用電源を±１２Ｖとし、その合成電圧２４Ｖをリレーシーケンス系電源に使用するように構成した。
【００１９】
図１において図２と同一部分は同一符号をもって示し、その説明は省略する。図１において図２と異なる点は、前記トランス１に代えてトランス１０（パルストランス）を用い、前記リレーシーケンス回路用２４Ｖ電源を生成していた２次側の巻線１４および整流回路２４を削除した点にある。
【００２０】
さらに、前記アナログ回路用±１５Ｖ電源を生成する巻線１３、整流回路２２、２３に代えて、巻線４３の一端と中間点との間に図示極性の整流ダイオード６３ｂおよび平滑用コンデンサ６４ｂの直列回路（整流回路５２；第１の整流回路）を接続し、該コンデンサ６４ｂの端子電圧をアナログ回路用＋１２Ｖ電源として用い、巻線４３の他端と中間点との間に図示極性の整流ダイオード６３ｃおよび平滑用コンデンサ６４ｃの直列回路（整流回路５３；第２の整流回路）を接続し、該コンデンサ６４ｃの端子電圧をアナログ回路用−１２Ｖ電源として用い、前記ダイオード６３ｂおよびコンデンサ６４ｂの共通接続点５２ｂと前記ダイオード６３ｃおよびコンデンサ６４ｃの共通接続点５３ｃとの間の電圧を、リレーシーケンス回路用２４Ｖ電源として用いるように構成した。
【００２１】
上記のようにインバータ装置の制御電源回路を構成することにより、リレーシーケンス用電源回路としてのパルストランス巻線（１４）、整流ダイオード（３ｄ）、平滑用コンデンサ（４ｄ）が不要となって部品点数が削減され、インバータ装置の小型化およびコストダウンを図ることができる。
【図面の簡単な説明】
【００２２】
【図１】本発明の一実施形態例の回路図。
【図２】従来のインバータ装置における制御電源回路の一例を示す回路図。
【符号の説明】
【００２３】
２…トランジスタ、３ａ，３３ａ〜３３ｎ，６３ｂ、６３ｃ…整流ダイオード、４ａ，３４ａ〜３４ｎ，６４ｂ、６４ｃ…平滑用コンデンサ、１０…トランス、１１、１２，１５ａ〜１５ｎ，４３…巻線、２１，２５ａ〜２５ｎ、５２，５３…整流回路。
【図１】
2008005613.tif 000003
【図２】
2008005613.tif 000004